【手続補正書】
【提出日】平成18年5月12日(2006.5.12)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  塵埃を吸引するための電動送風機と、塵埃を集塵する集塵室と、前記電動送風機の運転操作手段を有するホースおよび延長管と、被掃除床面上の塵埃を吸引するための吸い込み具と、前記吸い込み具の接続状態を検知する検知手段と、前記検知手段の出力に応じて前記電動送風機の電力を制御する制御手段を備えた電気掃除機。
【請求項２】  検知手段をホースおよび延長管の接続部に設けることを特徴とする請求項１記載の電気掃除機。
【請求項３】  検知手段としてＯＮ／ＯＦＦ信号を出力するスイッチとした請求項１又は２記載の電気掃除機。
【請求項４】  検知手段として電気抵抗値が可変可能な電気抵抗体とした請求項１又は２記載の電気掃除機。
【請求項５】  アタッチメントを使用する際に、専用の運転モードを備えたことを特徴とする請求項１〜４のいずれか１項記載の電気掃除機。
【請求項６】  アタッチメントの接続時に電動送風機の電力を増加するようにしたことを特徴とする請求項１〜４のいずれか１項記載の電気掃除機。
【請求項７】  吸い込み具の接続時に電動送風機の電力を増加するようにしたことを特徴とする請求項１〜６のいずれか１項記載の電気掃除機。
【請求項８】  電動送風機を内蔵する掃除機本体と、この本体に一端を接続されるホースと、前記ホースの他端に接続される延長管あるいは吸い込み具を具備し、前記掃除機本体、ホース、延長管、吸い込み具は電動送風機に吸引される吸気の吸気通路と、電動送風機から排出される排気の排気通路をそれぞれ有し、電動送風機からの排気の少なくとも一部を吸い込み具に還流させるようにした請求項１〜７のいずれか１項記載の電気掃除機。
【請求項９】  吸い込み具或いは、アタッチメントを接続した際に排気の循環風量を可変するようにした請求項８記載の電気掃除機。
【発明の詳細な説明】
【０００１】
【発明の属する技術分野】
本発明は、吸い込み具或いは、アタッチメントの接続状態に応じて電動送風機の電力を制御する電気掃除機に関するものである。
【０００２】
【従来の技術】
従来の電気掃除機は図１７および図１８に示すような構成が一般的であった。以下、その構成について説明する。
【０００３】
図１７に示すように、掃除機本体（以下、本体という）１は塵埃１０を吸引するための電動送風機２を内蔵しており、電動送風機２の吸引側すなわち前方には塵埃１０を集塵するための集塵室３を設けている。本体１の前部には集塵室３と連通する吸気口４を設け、この吸気口４には、一端側に手元操作部５を有するホース６の他端側を接続し、手元操作部５側には延長管７および回転ブラシ（図示せず）等を備えた吸い込み具８を接続し、吸い込み具８、延長管７、ホース６、吸気口４、集塵室３で塵埃吸気経路９を形成している。また、専用のアタッチメント１１（図示せず）については、通常吸い込み具８を接続する延長管７の一端に接続して使用する方法と、延長管７を外して手元操作部５の先端部に接続して使用する場合が一般的である。
【０００４】
手元操作部５を操作し電動送風機２が運転されると、塵埃１０は吸い込み具８より塵埃吸気経路９を通過して集塵室３に集積されるが、図１８に示すように塵埃吸気経路９内にＬＥＤ等の発光素子１２とフォトトランジスタ等の受光素子１３とからなる塵埃センサ１４を配し、塵埃１０が通過すると発光素子１２の光が受光素子１３で受光されるのを遮断するという原理を利用して塵埃吸気経路９内を通過する塵埃１０量を検知し、電動送風機２の供給電力量を可変して自動運転を行うものもある。
【０００５】
一般的には、掃除を行う人が被掃除床面の状態に合わせて手元操作部５に設けられた操作スイッチを選択し、電動送風機２の電力を制御するものである。
【０００６】
【発明が解決しようとする課題】
しかしながら、従来の構成では例えば、じゅうたん等の掃除をする場合には、「強」ポジション或いは、「じゅうたん」ポジションといった運転モードを選択し、吸い込み力を上げて掃除を行うのが一般的であるが、吸い込み具８を接続しない、或いは吸い込み具８を付け忘れた場合等に、電動送風機２の運転音による騒音が高く、不快なものであった。また、狭い場所や隙間等の掃除に使用する専用のアタッチメント１１（例えば隙間ノズル）を接続し、「強」または「じゅうたん」といった比較的吸い込み力の強い運転モードで掃除をする場合には、風量が増加せず必要な吸い込み力が得られないため掃除に時間がかかると共に、無駄な電力を消費し不経済であるという課題を有していた。
【０００７】
本発明は、上記従来の課題を解決するもので、静音化および掃除性能、掃除効率の向上が図れる電気掃除機を提供することを目的としている。
【０００８】
【課題を解決するための手段】
塵埃を吸引するための電動送風機と、塵埃を集塵する集塵室と、前記電動送風機の運転操作手段を有するホースおよび延長管と、被掃除床面上の塵埃を吸引するための吸い込み具と、前記吸い込み具の接続状態を検知する検知手段と、前記検知手段の出力に応じて前記電動送風機の電力を制御する制御手段を備えたもので、掃除機本体の静音化と共に、掃除性能、掃除効率を向上できる。
【０００９】
【発明の実施の形態】
本発明の請求項１記載の発明は、塵埃を吸引するための電動送風機と、塵埃を集塵する集塵室と、前記電動送風機の運転操作手段を有するホースおよび延長管と、被掃除床面上の塵埃を吸引するための吸い込み具と、前記吸い込み具の接続状態を検知する検知手段と、前記検知手段の出力に応じて前記電動送風機の電力を制御する制御手段を備えたもので、掃除機本体の静音化と共に、掃除性能、掃除効率の向上が図れる。
【００１０】
本発明の請求項２記載の発明は、検知手段をホースおよび延長管の接続部に設けるもので、通常の使用形態は勿論のこと、ホース手元操作部に吸い込み具やアタッチメントを接続して掃除する場合でも接続検知ができる。
【００１１】
本発明の請求項３記載の発明は、検知手段としてＯＮ／ＯＦＦ信号を出力するスイッチとするもので、安価に精度良く吸い込み具の接続状態を検知できる。
【００１２】
本発明の請求項４記載の発明は、検知手段として電気抵抗値が可変可能な電気抵抗体とするもので、吸い込み具は勿論のこと、専用のアタッチメントについても判別ができる。
【００１３】
本発明の請求項５記載の発明は、アタッチメントを使用する際に、専用の運転モードを備えるもので、使用者が任意に設定をすることができ、使い勝手の向上が図れる。
【００１４】
本発明の請求項６記載の発明は、アタッチメントの接続時に電動送風機の電力を増加するようにするもので、アタッチメント接続による風量の低下を補うと共に、掃除に必要な風量を確保して掃除性能を維持し、効率的な掃除を行うことができる。
【００１５】
本発明の請求項７記載の発明は、吸い込み具の接続時に電動送風機の電力を増加するようにするもので、掃除に必要な風量を確保して掃除性能を維持し、効率的な掃除を行うことができる。
【００１６】
本発明の請求項８記載の発明は、電動送風機を内蔵する掃除機本体と、この本体に一端を接続されるホースと、前記ホースの他端に接続される延長管あるいは吸い込み具を具備し、前記掃除機本体、ホース、延長管、吸い込み具は電動送風機に吸引される吸気の吸気通路と、電動送風機から排出される排気の排気通路をそれぞれ有し、電動送風機からの排気の少なくとも一部を吸い込み具に還流させる電気掃除機で、上記請求項１〜７のいずれかを具備させるもので、吸い込み具より排出される排気が被掃除面上の塵埃を吹き上げ、吸引作用と相俟って集塵性能を向上させることができるとともに、屋内に排気を排出することが少ないので、排気による騒音も低く抑えることが出来、更なる低騒音化を図ることが出来る。
【００１７】
本発明の請求項９記載の発明は、上記において吸い込み具或いは、アタッチメントを接続した際に排気の循環風量を可変するようにするもので、掃除に必要な風量を確保して掃除性能を維持し、効率的な掃除を行うことができる。
【００１８】
【実施例】
（実施例１）
以下、本発明の実施例について添付図１〜図４を用いて説明する。なお、従来例と同一構成部品については同一符号を付し、その説明を省略する。
【００１９】
図１において、電動送風機２、および電動送風機駆動手段２０は交流電源２１間に直列に接続されている。検知手段２２は手元操作部５内部および延長管７内部に配設されており、吸い込み具８或いは、専用アタッチメント１１の接続の有無を検知するものである。
【００２０】
２３は手元操作部５内に配置され、使用者が被掃除床面の状態により任意に電動送風機２の吸い込み力の「強」、「中」、「弱」、「切」設定を行うためのパワー設定手段であり、この設定により電動送風機駆動手段２０の位相制御量が設定される。２４は使用者によりパワー設定手段２３で選択された運転ポジションに応じて、電動送風機２の供給電力（位相制御量）を決定すると共に、検知手段２２の出力に基づいて、電動送風機２の供給電力（位相制御量）を切り替え制御する制御手段である。電動送風機駆動手段２０は制御手段２４により電動送風機２を駆動する。
【００２１】
図２は吸い込み具８と延長管７との接続を示す図である。吸い込み具８の接続部には延長管７に設けられた接続端子２５と電気的に接続される接続ピン２６および検知リブ２７が設けられている。同様に、専用アタッチメント１１、延長管７の他端にも検知リブ２７が設けられている。また、延長管７内および、手元操作部５内には検知手段２２として、検知リブ２７に対向する位置に可動板２９を備えたマイクロスイッチ２８を配設することで、吸い込み具８を延長管７に接続するために挿入すると、検知リブ２７がマイクロスイッチ２８の可動板２９を押すことでマイクロスイッチ２８がＯＮ状態となり、吸い込み具８或いは、専用アタッチメント１１が延長管７に接続されたかどうかを検知することができる。
【００２２】
或いは、図３に示すように、延長管７内および、手元操作部５内に吸い込み具８に同様に設けた検知リブ２７に対向する位置に、片側が固定され他端を電気抵抗値を可変させるスライドリブ３０と連動したバネ３１を備えた電気抵抗体３２を配設することで、検知リブ２７がスライドリブ３０を押し、電気抵抗体３２の電気抵抗値を可変するという動作となり、上述と同様に吸い込み具８や専用アタッチメント１１の接続の有無を検知できる。また、吸い込み具８が接続されていない場合には、スライドリブ３０と連動したバネ３１の力により初期の位置に戻るものである。
【００２３】
尚、検知リブ２７の長さをそれぞれの吸い込み具８或いはアタッチメント１１毎に変えてやることで、接続有無の検知および接続された接続物の種類の検知ができることはいうまでもない。
【００２４】
上記構成による動作は以下の通りである。
【００２５】
通常の掃除形態である吸い込み具８が接続されている状態において、使用者がパワー設定手段２３の「強」ポジションを選択した場合、図４に示すように、開放消費電力（位相制御量）がＷ１となるように電動送風機２の運転を開始する。同様に、「中」ポジション時には開放消費電力がＷ２、「弱」ポジション時には開放消費電力がＷ３となるようにパワー設定手段２３の選択ポジションに応じて、制御手段２４は電動送風機駆動手段２０を介して電動送風機２を予め設定された位相制御量で運転するものである。
【００２６】
吸い込み具８が延長管７より外されると、検知手段２２にて外れたことが検知される。制御手段２４は検知手段２２の出力に基づいて、「弱」ポジションの消費電力Ｗ３を下限電力とした低めの消費電力となるように位相制御量を切り替えるものであり、無駄な電力消費を無くし、必要以上の大騒音となるのを防止するのもである。また、専用アタッチメント１１が延長管７或いは、手元操作部５に接続されたことを検知手段２２で検知した場合には、「強」ポジションの消費電力Ｗ１を上限電力とした高めの消費電力となるように位相制御量を制御手段２４にて切り替えるものであり、掃除に必要な風量を確保して掃除性能を維持し、効率的な掃除を行うことができる。
【００２７】
尚、各種の専用アタッチメント１１に対応する掃除機本体１の運転パターンに合わせて、専用アタッチメント１１毎に消費電力を設定できることはいうまでもない。
【００２８】
（実施例２）
次に本発明の第２の実施例について図５を用いて説明する。なお、従来例と同一構成部品については同一符号を付し、その説明を省略する。
【００２９】
図５において、パワー設定手段３３には、使用者が被掃除床面の状態により任意に電動送風機２の吸い込み力の「強」、「中」、「弱」、「切」等のモード設定スイッチおよび、アタッチメント１１使用の際に掃除性能の確保が維持できるように電動送風機２の電力を設定した「アタッチメントモード」スイッチを設けたものであり、使用者が任意に設定をすることができ、使い勝手の向上を図ることができる。
【００３０】
なお、「アタッチメントモード」スイッチを掃除機本体１に配置することができることはいうまでもない。
【００３１】
（実施例３）
次に本発明の第３の実施例について図６を用いて説明する。なお、従来例と同一構成部品については同一符号を付し、その説明を省略する。
【００３２】
手元操作部５内部および延長管７内部に配設された検知手段２２により、アタッチメント１１の接続を検知した場合には、図６に示すように電動送風機２の設定電力を「強」ポジションの消費電力Ｗ１を上限電力とし、「中」ポジション或いは「弱」ポジションでは、予め運転モードとして設定している消費電力Ｗ２またはＷ３の消費電力よりも高めの消費電力Ｗ４或いは、Ｗ５となるような消費電力に位相制御量を制御手段２４にて切り替えるものであり、アタッチメント１１の接続時に電動送風機２の電力を増加するようにしたもので、アタッチメント１１接続による風量の低下を補うと共に、掃除に必要な風量を確保して掃除性能を維持し、効率的な掃除を行うことができる。
【００３３】
（実施例４）
次に本発明の第４の実施例について図７を用いて説明する。なお、従来例と同一構成部品については同一符号を付し、その説明を省略する。
【００３４】
手元操作部５内部および延長管７内部に配設された検知手段２２により、吸い込み具８の接続を検知した場合には、図７に示すように電動送風機２の設定電力を「強」ポジションの消費電力Ｗ１を上限電力とし、「中」ポジション或いは、「弱」ポジションでは、予め運転モードとして設定されている消費電力Ｗ２またはＷ３の消費電力よりも高めの消費電力Ｗ６或いは、Ｗ７となるような消費電力に位相制御量を制御手段２４にて切り替えるものであり、吸い込み具８の接続時に電動送風機２の電力を増加して、掃除に必要な風量を確保して掃除性能を維持し、効率的な掃除を行うことができる。
【００３５】
（実施例５）
次に本発明の第５の実施例について図８を用いて説明する。なお、従来例と同一構成部品については同一符号を付し、その説明を省略する。
【００３６】
手元操作部５内部および延長管７内部に配設された検知手段２２により、吸い込み具８の接続を検知した場合には、図８に示すように電動送風機２の設定電力を「弱」ポジションの消費電力Ｗ３を下限電力とし、「強」ポジション或いは、「中」ポジションでは、予め運転モードとして設定されている消費電力Ｗ１またはＷ２の消費電力よりも低めの消費電力Ｗ８或いは、Ｗ９となるような消費電力に位相制御量を制御手段２４にて切り替えるものであり、吸い込み具８の接続時に電動送風機２の電力を減少させて、無駄な電力の消費を抑えると共に、必要以上の大騒音となることを防止することができる。
【００３７】
（実施例６）
次に本発明の第６の実施例を図９を用いて説明する。なお、従来例と同一構成部品については同一符号を付し、その説明を省略する。
【００３８】
手元操作部５内部および延長管７内部に配設された検知手段２２により、回転ブラシを具備した吸い込み具８の接続を検知した場合には、図９に示すように電動送風機２の設定電力を「弱」ポジションの消費電力Ｗ３を下限電力とし、「強」ポジション或いは、「中」ポジションでは、予め運転モードとして設定されている消費電力Ｗ１またはＷ２の消費電力よりも低めの消費電力Ｗ１０或いは、Ｗ１１となるような消費電力に位相制御量を制御手段２４にて切り替えるものであり、回転ブラシを具備した吸い込み具８の接続時に電動送風機２の電力を減少するようにしたもので、掃除性能を維持し且つ、騒音の低減が図れる。
【００３９】
（実施例７）
以下、本発明の第７の実施例を、図１０〜１５を用いて説明する。なお、上記実施例と同一構成部品については、同一符号を付して、その説明を省略する。
【００４０】
電気掃除機は、掃除機本体１００の接続口１０１に、ホース１０３の接続管１０４を接続し、ホース１０３の他端側の握り管１０５に吸い込み具１０６を接続した伸縮パイプ（以下、延長管と称す）１０７を接続している。
【００４１】
掃除機本体１０１内の後方側には電動送風機１０８が内蔵され、接続口１０１と電動送風機１０８の間には、集塵室１０９が設けられている。１１０は電動送風機１０８を覆っている防音筒で、防音筒１１０の外周面には排気管１１１の一端が接続されている。この排気管１１１は、一部に蛇腹状部を有し、全体的には可撓性を持たせている。排気管１１１の他端は接続口１０１側に接続され、電動送風機１０８の運転で排出される排気の一部を他端側の接続口１０１側に導いている。
【００４２】
接続口１０１と集塵室１０９間に挟持された逆止弁１１２は、接続口１０１と集塵室１０９内とを気密に連通し、また前側には前記排気管１１１が接続される略筒状の排気導入口１１３が一体に形成されている。
【００４３】
接続管１０４は、内周に吸気通路を、外周に排気通路を形成する２層パイプ構造の接続パイプ１１４と、この接続パイプ１１４の外周側を覆う蓋１１５と、接続パイプ１１４と蓋１１５に挟持された尾錠１１６と、接続パイプ１１４に一端側が回転自在に連結される回転パイプ１１７を有している。回転パイプ１１７にも接続パイプ１１４と同様に内周に吸気通路を、外周に排気通路を形成した２層パイプ構造とし、回転パイプと接続パイプとの排気通路同士および排気通路同士とを回転自在に接続している。尾錠１１６はバネ１１８で付勢されて、接続口１０１に接続管１０４を着脱自在に係止している。回転パイプ１１７は、接続管１０４長手方向の軸回りに回転自在で、電気掃除機を使用中にホース１０３が捩れることを防止している。
【００４４】
接続パイプ１１４の内管Ａ１１９内と回転パイプ１１７の内管Ｂ１２０内とは、タイトパッキング１２１で気密に連通し、内管Ａ１１９外周部と内管Ｂ１２０外周部も同様に気密に連通している。回転パイプ１１７の外周側の接続パイプ１１４上面には固定接点１２２が前後方向に並んで固定されている。固定接点１２２は回転パイプ１１７と蓋１１５で挟持された複数の接続端子（図示せず）に電気的に接続している。
【００４５】
接続端子は、接続パイプ１１４を接続口１０１に接続した状態で、掃除機本体１００に配置した本体端子（図示せず）に電気的に接続する。固定接点１２２の内側には固定接点１２２に対向して同数のレール端子１２３が略筒状のレール台１２４に保持されて配置されている。このレール台１２４は、回転パイプ１１７の外周側に固定され、回転パイプ１１７が接続管１０４長手方向の軸回りに回転すると、回転パイプ１１７とともに回転し、常時固定接点１２２とレール端子１２３の電気的接続を維持している。
【００４６】
ホース１０３は、外ホース１２５の内径より外径が径小な内ホース１２６を収容した２層ホース構造で、内ホース１２６の一端側が回転パイプ１１７の内管Ｂ１２０の反接続パイプ１１４側に包着し、また、外ホース１２５の一端側が反接続パイプ１１４側の回転パイプ１１７の外周面に包着して各々気密に接続してある。
【００４７】
握り管１０５は、内ホース１２６の他端側を包着した内管１２７Ａと外ホース１２５の他端側を包着した外管１２７Ｂとからなる２層管構造の連結管１２７と、ホース１０３の他端側の包着部前方を収容し、前方側にかけて略くの字状に折曲しながら先端部で延長管１０７を着脱自在に接続する曲りパイプ１２８と、曲りパイプ１２８の折曲部上方の部品収容部１２９と、この部品収納部１２９に配置されたスイッチ基板１３０と、このスイッチ基板１３０を操作する操作部１３１と、曲りパイプ１２８の上方開口を覆った握り管カバー１３２と、握り管カバー１３２と曲りパイプ１２８に揺動自在に挟持されて延長管１０７を着脱自在に係止する尾錠Ａ１３３とを有している。
【００４８】
曲りパイプ１２８は、内壁１３４で上下２層の通路に分割され、吸気通路Ａ１３５は連結管１２７の内管１２７Ａに気密に連通しており、排気通路Ａ１３６は連結管１２７の内管１２７Ａと外管１２７Ｂ間の通路に気密に連通している。
【００４９】
導電体Ａ１３７は、レール端子１２３に接続された後、外ホース１２５と回転パイプ１１７の外周面の包着部間から外ホース１２５と内ホース１２６の間に導入され、他端側は外ホース１２５と連結管１２７の外管１２７Ｂと外ホース１２５包着部から導出され、部品収容部１２９を通ってスイッチ基板１３０に接続されている。
【００５０】
延長管１０７は握り管１０５の曲りパイプ１２８に着脱自在に係止される第一の通気管１３８内に摺動自在に第二の通気管１３９が保持され、第二の通気管１３９の先端は吸い込み具１０６の接続管１４０を着脱自在に係止している。
【００５１】
第一の通気管１３８は内壁１４１で上下２層の通気路、すなわち吸気通路Ａ１３５と排気通路Ａ１３６に区画されている。第二の通気管１３９は通気管Ａ１４２と通気管Ｂ１４３に分離され、通気管Ａ１４２は排気通路Ｂ１４４、通気管Ｂ１４３は吸気通路Ｂ１４５を構成する。つまり、通気管Ａ１４２と通気管Ｂ１４３とは軸方向に隙間を設けて配し、通気管Ａ１４２の一端側が第一の通気管１３８の排気通路Ａ１３６内で軸方向に摺動自在に挿入され、排気通路Ａ１３６に接続されている。また、通気管Ｂ１４３の一端側が第一の通気管１３８の吸気通路Ａ１３５内で軸方向に摺動自在に挿入され、吸気通路Ａ１３５に接続している。
【００５２】
１４６は導電体Ｂであり、導電体Ｂ１４６は通気管Ａ１４２の排気通路Ｂ１４４と第一の通気管１３８の排気通路Ａ１３６内に収容されている。この導電体Ｂ１４６の両端には接続端子（図示せず）が接続されており、延長管１０７を握り管１０５と吸込具１０６に接続した時、握り管１０５と吸い込み具１０６に設けた接続端子（図示せず）に電気的に接続した状態となる。尚、導電体Ｂ１４６は表面を絶縁被覆で保護されているものと、されて無いもののどちらでもかまわない。
【００５３】
１４７は押し釦で、この押し釦１４７の上下操作に連動して上下動する係止突起１４９を有し、係止突起１４９は通気管Ａ１４２と通気管Ｂ１４３の間の隙間に位置し、通気管Ａ１４２の下面、すなわち通気管Ｂ１４６と対向する面で、軸方向に所定間隔をおいて複数形成した係止用凹部１４８に弾接的に係合する構成である。この係止突起１４９と係止用凹部１４８とにより、第一の通気管１３８に対する第二の通気管１３９の出代を電気掃除機利用者の都合の良い長さに調節できる。なお、延長管１０７と握り管１０５の接続部の形状と、吸い込み具１０６と延長管１０７の接続部とは各々同じ形状に形成してあり、握り管１０５に直接吸い込み具１０６を接続して使用することができる。
【００５４】
吸い込み具１０６の構成は以下の通りである。吸い込み具１０６前方には、電動機１５０を内蔵した回転ブラシ１５１が回転自在に保持されている。回転ブラシ１５１は内蔵する電動機１５０に回転駆動され、減速機（図示せず）を介して回転を伝達され、毎分１５００回転程度の回転をする。回転ブラシ１５１は下面に設けた吸込開口１５２に臨み、周面に複数取り付けたブレードＡ１５３、ブラシＢ１５４が掃除面に付着した塵埃などを掻き上げる。
【００５５】
１５５は回転ブラシ１５１の後方に形成した吸塵口で、上下方向に俯仰自在な連結筒１５６に連通している。１５７は連結筒１５６に左右方向に一定角度回転自在に接続された吸込具パイプで、パイプ壁１５８で上下の２通路に区画されている。下方の吸気通路Ｃ１５９は前方を前述の連結筒１５６、後方を延長管１０７の吸気通路Ｂ１４５に連通している。上方の排気通路Ｃ１６０は、後方が延長管１０７の排気通路Ｂ１４４に連通する一方、前方は可撓管１６１、吸込具の上部から前部にわたり形成したバイパス（排気通路）１６２を通じており、バイパス１６２の終端には排気口１６３を形成している。そして、電動送風機１０８の運転で排出される排気をバイパス１６２の排気口１６３から吸込開口１５２方向に排出する。
【００５６】
次に上記構成による動作、作用について説明する。握り管１０５の操作部１３１を操作して電動送風機１０８を運転すると、同時に導電体Ｂ１４６を介して電動機１５０に電力が供給され、電動機１５０が回転ブラシ１５１を回転駆動する。回転ブラシ１５１は、被掃除面にある塵埃をブレードＡ１５３、ブラシＢ１５４が掻き上げる。
【００５７】
上記塵埃は、電動送風機１０８の吸引によって発生する吸気流で、吸込開口１５２、吸塵口１５５、連結筒１５６、吸込具パイプ１５７の吸気通路Ｃ１５９、第二の通気管１３９の吸気通路Ｂ１４５、第一の通気管１３８と曲りパイプ１４７の吸気通路Ａ１３５、内ホース１２６、回転パイプ１１７の内管Ｂ１２０、接続パイプ１１４の内管Ａ１１９を経由して集塵室１０９内に移送され、ここに蓄積される。塵埃を分離した清浄な吸気流は、電動送風機１０８を通過後、防音筒１１０内に排出される。
【００５８】
上記排気の少なくとも一部は、排気管１１１、排気導入口１１３、通孔１６４を経由して接続パイプ１１４の内管Ａ１１９と接続パイプ１１４の外周の間に導入された後、回転パイプ１１７の内管Ｂ１２０と外周の間、外ホース１２５と内ホース１２６の間、連結管１２７の内管１２７Ａと外管１２７Ｂの間、曲りパイプ１４７と第一の通気管１３８の排気通路Ａ１３６、吸い込み具１０６の排気通路Ｃ１６０、可撓管１６１、バイパス１６２を通って排気口１６３より吸込開口１５２方向に排出される。この還流した排気が吸い込み具１０６と被掃除面との密着度合いを緩和して吸い込み具１０６の移動操作力を軽くする。同時に、被掃除面上の塵埃を吸塵口１５５方向に吹き付け移送し、回転ブラシ１５１の回転との相乗効果で集塵性能を向上させる。
【００５９】
そして上記排気循環構成を有する電気掃除機に、実施例１で述べた構成を設けるもので検知手段２２（図示せず）は握り管１０５内部および延長管１０７内部に配設されており、吸い込み具１０６或いは、専用アタッチメント１１の接続の有無を検知するものである。２３はスイッチ基板１３０内に配置され、使用者が被掃除床面の状態により任意に電動送風機１０８の吸い込み力の「強」、「中」、「弱」設定を行うためのパワー設定手段であり、この設定により電動送風機駆動手段２０の位相制御量が設定される。２４は使用者によりパワー設定手段２３で選択された運転ポジションに応じて、電動送風機１０８の供給電力（位相制御量）を決定すると共に、検知手段２２の出力に基づいて、電動送風機１０８の供給電力（位相制御量）を切り替え制御する制御手段である。電動送風機駆動手段２０（図示せず）は制御手段２４により電動送風機１０８を駆動する。
【００６０】
そして、上記構成により、実施例１で述べた効果に加え、吸い込み具１０６より排出される排気が被掃除面上の塵埃を吹き上げ、吸引作用と相俟って集塵性能を向上させることができるとともに、屋内に塵埃を含んだ排気を排出することが少ないので、排気による騒音も低く抑えることが出来、掃除機の更なる低騒音化および屋内のクリーン化を図ることが出来る。
【００６１】
なお、ここでは排気循環構成を有する掃除機に、実施例１で述べた構成を設けた場合について示したが、第２〜第６の各実施例でも同様に排気による騒音を低く抑えることが出来、更なる低騒音化を図ることが出来るのは言うまでもないことである。
【００６２】
（実施例８）
次に本発明の第８の実施例を図１６を用いて説明する。なお、上記実施例と同一構成部品については、同一符号を付して、その説明を省略する。
【００６３】
図１６において、１６５は排気循環風量可変手段で、ソレノイド１６６に連結された開閉板１６７で構成されている。検知手段２２からの検知信号に応じてソレノイド１６６に連結された開閉板１６７が開閉し、排気流の一部を循環通路の外へ漏らすことで、排気流の循環風量を可変している。
【００６４】
上記構成により、吸い込み具１０６或いは、アタッチメント１１を接続した際にそれを検知手段２２で検知し、その検知信号に応じてソレノイド１６６に連結された開閉板１６７が開閉し、排気流の一部を循環通路の外へ漏して排気流の循環風量を可変し、取り付けられた吸い込み具１０６或いは、アタッチメント１１での各々の掃除に必要な風量を確保して掃除性能を維持し、効率的な掃除を行うことができるものである。
【００６５】
また、上記実施例では、排気循環風量可変手段１６５を、ソレノイド１６６に連結された開閉板１６７で構成し、単に開閉のみで行うようにしたが、無段階に開閉量を可変するような他の構成でも同様の効果が得られることは言うまでもないことである。
【００６６】
【発明の効果】
本発明の請求項１記載の発明によると、掃除機本体の静音化と共に、掃除性能、掃除効率の向上が図れる効果を有する。
【００６７】
本発明の請求項２記載の発明によると、検知手段をホースおよび延長管の連結接続部に設けたもので、通常の使用形態は勿論のこと、ホース手元操作部に吸い込み具や専用アタッチメントを接続して掃除する場合でも接続検知ができる。
【００６８】
本発明の請求項３記載の発明によると、検知手段としてＯＮ／ＯＦＦ信号を出力するスイッチとしたもので、安価に精度良く吸い込み具の接続状態を検知できる。
【００６９】
本発明の請求項４記載の発明によると、検知手段として電気抵抗値が可変可能な電気抵抗体としたもので、吸い込み具は勿論のこと、専用のアタッチメントの種類についても判別ができる。
【００７０】
本発明の請求項５記載の発明によると、アタッチメントを使用する際に、専用の運転モードを備えたもので、使用者が任意に設定をすることができ、使い勝手の向上が図れる。
【００７１】
本発明の請求項６記載の発明によると、アタッチメントの接続時に電動送風機の電力を増加するようにしたもので、アタッチメント接続による風量の低下を補うと共に、掃除に必要な風量を確保して掃除性能を維持し、効率的な掃除を行うことができる。
【００７２】
本発明の請求項７記載の発明によると、吸い込み具の接続時に電動送風機の電力を増加するようにしたもので、掃除に必要な風量を確保して掃除性能を維持し、効率的な掃除を行うことができる。
【００７３】
本発明の請求項８記載の発明によれば、電動送風機を内蔵する掃除機本体と、この本体に一端を接続されるホースと、前記ホースの他端に接続される延長管あるいは吸い込み具を具備し、前記掃除機本体、ホース、延長管、吸い込み具は電動送風機に吸引される吸気の吸気通路と、電動送風機から排出される排気の排気通路をそれぞれ有し、電動送風機からの排気の少なくとも一部を吸い込み具に還流させる電気掃除機で、上記請求項１〜７のいずれかを具備させるもので、吸い込み具より排出される排気が被掃除面上の塵埃を吹き上げ、吸引作用と相俟って集塵性能を向上させることができるとともに、屋内に排気を排出することが少ないので、排気による騒音も低く抑えることが出来、更なる低騒音化を図ることが出来る。
【００７４】
本発明の請求項９記載の発明によれば、上記において吸い込み具或いは、アタッチメントを接続した際に排気の循環風量を可変するようにするもので、掃除に必要な風量を確保して掃除性能を維持し、効率的な掃除を行うことができる。
【図面の簡単な説明】
【図１】
本発明の第１の実施例における電気掃除機のブロック図
【図２】
同電気掃除機のマイクロスイッチを検知手段とした説明図
【図３】
同電気掃除機の電気抵抗体を検知手段とした説明図
【図４】
同電気掃除機の消費電力設定の説明図
【図５】
同第２の実施例の電気掃除機の消費電力設定の説明図
【図６】
同第３の実施例の電気掃除機の消費電力設定の説明図
【図７】
同第４の実施例の電気掃除機の消費電力設定の説明図
【図８】
同第５の実施例の電気掃除機の消費電力設定の説明図
【図９】
同第６の実施例の電気掃除機の消費電力設定の説明図
【図１０】
同第７の実施例を示す電気掃除機の全体断面図
【図１１】
同電気掃除機の掃除機本体の断面図
【図１２】
同電気掃除機の掃除機本体前部の断面図
【図１３】
同電気掃除機の握り管の断面図
【図１４】
同電気掃除機の延長管の断面図
【図１５】
同電気掃除機の吸込具の断面図
【図１６】
同第８の実施例を示す電気掃除機の掃除機本体の断面図
【図１７】
従来の電気掃除機の全体斜視図
【図１８】
同塵埃センサーの構成図
【符号の説明】
２  電動送風機
２０  電動送風機駆動手段
２２  検知手段
２３  パワー設定手段
２４  制御手段
２７  検知リブ
２８  マイクロスイッチ
２９  可動板
３０  スライドリブ
３１  バネ
３２  電気抵抗体
１００    掃除機本体
１０６    吸い込み具
１０７    延長管
１０３    ホース
１３５  吸気通路Ａ
１３６  排気通路Ａ
１３８  第一の通気管
１３９  第二の通気管
１４６  導電体Ｂ
１４８  係止用凹部（被係止部）
１６５  排気循環風量可変手段
１６６  ソレノイド
１６７  開閉板